(57)【要約】【課題】傘の柄部の折り曲げという１段階の操作のみで容易に雨の降る向きや日差しの向きに３６０度の範囲で対応させることができる向き可変傘を提供すること。【解決手段】雨の降る向きや日差しの向きなどに対応して傘の向きを自在に変更できる向き可変傘であって、柄部３０は第１柄部１０と第２柄部２０とが連結されてなり、第１柄部１０の連結端１１の外周は円弧状に形成され、前記連結端１１内には、棒状体１３が突設されたボール体１２が回転自在に設けられ、第２柄部２０の連結端２１の外周は円弧状に形成され、前記連結端２１内には、前記棒状体１３が上下動自在に収容され、互いに当接する両連結端１１、２１を囲繞する支持部４０は可塑性を備えてなることを特徴とする向き可変傘。【選択図】図２
2004180957.tif 000002
【特許請求の範囲】
【請求項１】
雨の降る向きや日差しの向きなどに対応して傘の向きを自在に変更できる向き可変傘であって、柄部は第１柄部と第２柄部とが連結されてなり、第１柄部の連結端の外周は円弧状に形成され、前記連結端内には、棒状体が突設されたボール体が回転自在に設けられ、第２柄部の連結端の外周は円弧状に形成され、前記連結端内には、前記棒状体が上下動自在に収容され、互いに当接する両連結端を囲繞する支持部は可塑性を備えてなることを特徴とする向き可変傘。
【発明の詳細な説明】
【０００１】
【発明の属する技術分野】
本発明は、傘に関し、詳細には、雨の降る向きや日差しの向きに傘の向きを自在に変更できる向き可変傘に関する。
【０００２】
【従来の技術】
雨の降る向きや日差しの向きは刻々と変化するため、その都度傘の向きを変えなければならない。例えば、魚釣りに際して日差しを避けるために用いる日傘は、刻々と変化する日差しの向きに対応させるため、日傘の向きもそれに対応して変更しなければならなず、ビーチパラソルについても同じことが言える。また、傘をさして歩いている時や自転車に乗っている時も雨の降る向きに応じて傘の向きを変更しなければならない。
【０００３】
従来、傘の柄部が折り曲げられ、傘の向きを変更できるものが提案されている。特許文献１には、傘のシャフトの２箇所に折り曲げない状態、折り曲げた状態のどちらでも固定できるようにしたヒンジを前後反対の向きに取り付け、従来の傘のように使用することも、ヒンジの両方あるいはどちらか一方を折り曲げて使用することも可能にしたヒンジ付傘が開示されている。
【０００４】
【特許文献１】特開平１１−５６４２７号公報
【０００５】
【発明が解決しようとする課題】
しかし、上記従来の柄部が折り曲げられる傘は、傘を斜めにした場合でも垂直な柄部を持つことができるよう案出されたもので、傘を一定向きにのみ変更できるものであったため、例えば、支持脚に立てて魚釣りに用いる日傘やビーチパラソルの場合、柄部を折り曲げる操作と共に日傘やビーチパラソルを回転させる操作により雨の降る向きや日差しの向きに対応させるという２段階の操作をしなければならず、非常に煩雑で面倒であった。
【０００６】
そこで、本発明は、上記事情に鑑みなされたもので、傘の柄部の折り曲げという１段階の操作のみで容易に雨の降る向きや日差しの向きに対応させることができる向き可変傘を提供することを課題とする。
【０００７】
【課題を解決するための手段】
本発明者は、上記課題を解決するために鋭意検討し、本発明を完成した。
すなわち、本発明は、雨の降る向きや日差しの向きなどに対応して傘の向きを自在に変更できる向き可変傘であって、柄部は第１柄部と第２柄部とが連結されてなり、第１柄部の連結端の外周は円弧状に形成され、前記連結端内には、棒状体が突設されたボール体が回転自在に設けられ、第２柄部の連結端の外周は円弧状に形成され、前記連結端内には、前記棒状体が上下動自在に収容され、互いに当接する両連結端を囲繞する支持部は可塑性を備えてなることを特徴とする向き可変傘を要旨とする。
【０００８】
上記構成の発明によれば、傘の柄部を折り曲げることにより、傘の直立した柄部を仮想の回転軸として３６０度の範囲で傘の向きを変更できる。
【０００９】
【発明の実施の形態】
以下、本発明を図面を参照しながら実施形態により詳細に説明する。本実施形態の向き可変傘５０は、柄部３０の構成に特徴があり、柄部３０以外については公知の傘と同様の構成である。従って、以下、柄部３０の説明により本実施形態の向き可変傘５０を説明する。
【００１０】
本実施形態の向き可変傘５０の柄部３０は、図１〜図３に示すように、管状をなす第１柄部１０と第２柄部２０とが連結されている。各柄部１０、２０の連結端１１、２１の外周は、円弧状に形成されており、中央部は水平な開放端となっている。
【００１１】
第１柄部１０の連結端１１内には、載置部材１４に載置され、棒状体１３が突設されたボール体１２が回転自在に設けられている。また、第２柄部２０の連結端２１内には、円筒体２２が挿入され、該円筒体２２の下部は連結端２１の内周面に固定されている。また、前記の棒状体１３は、円筒体２２内に上下動自在に収容されている。そして、第１柄部１０と第２柄部２０の連結端１１、２１同士は、互いに当接連結している。
【００１２】
第１柄部１０と第２柄部２０には、これらを囲繞する円筒状の支持部４０が設けられている。支持部４０は、鉛素材で形成され、第１柄部１０と第２柄部２０の外周面に固定されている。また、支持部４０は、連結端１１、２１周りが膨れるように形成されている。支持部４０の外周は、ゴム、エラストマー等の弾性部材で被覆して支持部４０の見栄えを良くなるようにしても良い。
【００１３】
上記構成の向き可変傘５０によれば、第２柄部２０が折り曲げ可能で、傘の直立した柄部３０を仮想の回転軸として３６０度の範囲で向き可変傘５０の向きを変更できる。すなわち、連結端１１、２１の外周が円弧状に形成されているため、対向する連結端１１、２１は外周縁に向かう程離間し、連結端１１、２１間にできるスペースにより第２柄部２０が折り曲げ可能となる。また、ボール体１２が第１柄部１０の連結端１１内で回転自在で、棒状体１３が第２柄部２０の円筒体２２内で上下動自在となっているため、ボール体１２における棒状体１３の突設基端を中心点とする第２柄部２０の折り曲がりを可能とし、第１柄部１０と第２柄部２０の当接面のズレを防止する。更に、支持部４０は、連結端１１、２１周りが膨らみ遊びが形成されているので、可塑性を備える支持部４０は第２柄部２０を折り曲げると、一方側は内側に折り曲がり、他方側は外側に折り曲がる。そして、一旦折り曲がった第２柄部２０は、力を加えない限り、鉛素材の可塑性により所望の位置に継続的に維持できる。
【００１４】
本発明は、上記実施の形態に限定されるものではなく、種々形態を変更して具体化できる。
（１）支持部４０は、可塑性を備える限り特に鉛素材に限定されるものではない。例えば、図４に示すように、可塑性の素材として中間層にアルミニウム板４１を縦方向に所定間隔で配置し、内層及び外層にポリ塩化ビニル、ポリエチレン、ポリプロピレンなどの樹脂フイルム４２を多数積層した円筒状の支持部を柄部に固定する構成としても良い。
（２）ボール体１２を上方の柄部である第２柄部２０に設け、円筒体１４を第１柄部１０に固定する構成としても良い。この場合、第１柄部１０を折り曲げて向き可変傘５０の向きを変更できる。
【００１５】
【発明の効果】
本発明は、上記のように構成されるため、以下の効果を奏する。
本発明の向き可変傘は、傘の直立した柄部を仮想の回転軸として３６０度の範囲で傘の向きを変更できるので、支持台に立てて日傘やビーチパラソルとして用いた場合、柄部を折り曲げるという１段階の操作のみで簡単に日差しの向きに傘を対応させることができ、極めて利便である。また、本発明の向き可変傘を雨傘として用いた場合、自転車に固定した向き可変傘の向きを雨の降る向きに簡単に対応させることができるので、雨に濡れるのを回避しながら安全に自転車を運行させることができる。
【図面の簡単な説明】
【図１】本実施形態の向き可変傘の正面図である。
【図２】本実施形態の向き可変傘の直立状態の柄部を示す部分縦断面図である。
【図３】本実施形態の向き可変傘の第２柄部が折り曲げられた状態の柄部を示す部分縦断面図である。
【図４】別形態の支持部の平面図である。
【符号の説明】
１０        第１柄部
１１        連結端（第１柄部）
１２        ボール体
１３        棒状体
２０        第２柄部
２１        連結端（第２柄部）
３０        柄部
４０        支持部
５０        向き可変傘
【図１】
2004180957.tif 000003
【図２】
2004180957.tif 000004
【図３】
2004180957.tif 000005
【図４】
2004180957.tif 000006